(57)【要約】【課題】各種埋設物の埋設物データを表示し、また書き換えし、更に夫々の埋設場所における埋設物データの一元的な管理、確認等を管理事務所等の施設内でも、埋設場所でも簡単に行えるようにする。【解決手段】各種埋設物Ｐに関する夫々の埋設物データを入力、記録、表示する装置本体１と、埋設物Ｐに対応して地上面に設置して、埋設物データを記録している書き換え可能な記録媒体２０と、装置本体１の埋設物データ、記録媒体２０の埋設物データ夫々を照合させて装置本体１に送受信させる読取・書込器１０とを備えて成る。装置本体１は、記録部、入力部３、表示部４、照合部、制御部を備え、記録媒体２０中の埋設物データは、記録媒体２０に予め付与したＩＤナンバーの照合によって装置本体１における記録部の埋設データと関連付けられるようにして構成する。【選択図】          図１
2005010550.tif 000002
【特許請求の範囲】
【請求項１】
各種埋設物に関する夫々の埋設物データを入力、記録、表示する装置本体と、埋設物に対応して地上面に設置され、その埋設物に関する埋設物データを記録している書き換え可能な記録媒体と、装置本体における埋設物データをその埋設物に対応している記録媒体の埋設物データに照合させて装置本体に送受信させるよう装置本体に接続される読取・書込器とを備えて成ることを特徴とする埋設物管理システム。
【請求項２】
装置本体は、各種の埋設物に関する埋設物データを記録保存している記録部、埋設物データを入力する入力部、埋設物データを表示する表示部、読取・書込器に接続され、この読取・書込器によって読み取られた記録媒体の対応埋設物データと照合させる照合部、これらを制御する制御部を備えて成る請求項１に記載の埋設物管理システム。
【請求項３】
記録媒体における埋設物に対応した埋設物データは、記録媒体に予め付与されているＩＤナンバーの照合によって装置本体における記録部の埋設データと関連付けられるようにしてある請求項１または２のいずれかに記載の埋設物管理システム。
【請求項４】
読取・書込器は、装置本体との埋設物データを授受する通信手段と、記録媒体との埋設物データを送受信するアンテナ部と、埋設物データの送受信時に点灯する確認表示部と、記録媒体との送受信の開始・終了のスイッチとを備えて成る請求項１乃至３のいずれかに記載の埋設物管理システム。
【発明の詳細な説明】
【０００１】
【発明の属する技術分野】
本発明は、例えば水道管・ガス管・油管等の地中埋設管や電力ケーブル・通信ケーブル等の地中埋設ケーブル等の存在箇所に相当する路面上、マンホール蓋、道路標柱その他の標示物に配置され、地中埋設管・地中埋設ケーブル自体の補修工事のときや、各種の工事に際し、地中埋設管・地中埋設ケーブル周辺の掘削が必要なとき等、当該地中埋設管・地中埋設ケーブルの土被り等の各種のデータ情報をリアルタイムで読み出し、またその埋設物データの書換えを可能にし、管理の効率性等を向上できる埋設物管理システムに関するものである。
【０００２】
【従来の技術】
従来から各種の地中埋設物を地上面から認識できるように、埋設物の各種諸元を記録した標柱が設置されるようになっている。しかも近時は埋設物に関する各種のデータ情報例えば埋設物種類、土被り・床付幅等の埋設データ、点検日、請負業者名、作業内容等の履歴データ等その他が非常に多くなっているのである。これに対応して、これらの各種データをＩＣチップと称される小型の記録媒体に記録して、これを標柱内に埋め込み、例えば携帯式のスキャナーにて記録媒体の記録を読みとることで各種データを参照できるようにした本出願人提案のピン型標識装置がある（特許文献１）。
【０００３】
【特許文献１】
特開２００１−１９５０２２号公報
【０００４】
【発明が解決しようとする課題】
しかしながらこのような従来のピン型標識装置では、埋設物に関するデータは標柱内に埋め込まれる記録媒体に記録してあるため、例えば埋設物に沿って複数の記録媒体が配列されているとき、これらの一元的な管理は管理機関において記録されている台帳類、電子データによるから現場においての他の埋設場所における埋設データの照合等は面倒なものであった。そればかりでなく、埋設データの変更・訂正は、ピン型標識装置の埋設場所夫々で行う必要があり、一括的な諸元変更作業は困難なものであった。
【０００５】
そこで本発明は叙上のような従来存した諸事情に鑑み創出されたもので、各種埋設物の埋設場所における記録媒体中に記録されている埋設物データの表示、読み込み、書き換え作業は勿論のこと、夫々の埋設場所における埋設物データの一元的な管理、確認等とが管理機関である管理事務所等の施設内でも、また現場である埋設場所でも簡単に行え、現場への移動を要せずに管理機関の施設内でもそれらを容易に確認できるようにした埋設物管理システムを提供することを目的とする。
【０００６】
【課題を解決するための手段】
上述した課題を解決するため、本発明にあっては、各種埋設物Ｐに関する夫々の埋設物データを入力、記録、表示する装置本体１と、埋設物Ｐに対応して地上面に設置され、その埋設物Ｐに関する埋設物データを記録している書き換え可能な記録媒体２０と、装置本体１における埋設物データをその埋設物Ｐに対応している記録媒体２０の埋設物データに照合させて装置本体１に送受信させるよう装置本体１に接続される読取・書込器１０とを備えて成る。
装置本体１は、各種の埋設物Ｐに関する埋設物データを記録保存している記録部２、埋設物データを入力する入力部３、埋設物データを表示する表示部４、読取・書込器１０に接続され、この読取・書込器１０によって読み取られた記録媒体２０の対応埋設物データと照合させる照合部５、これらを制御する制御部６を備えて構成できる。
記録媒体２０における埋設物Ｐに対応した埋設物データは、記録媒体２０に予め付与されているＩＤナンバーの照合によって装置本体１における記録部２の埋設データと関連付けられるようにして構成することができる。
読取・書込器１０は、装置本体１との埋設物データを授受するケーブル１１の如き通信手段と、記録媒体２０との埋設物データを送受信するアンテナ部１２と、埋設物データの送受信時に点灯する確認表示部１３と、記録媒体２０との送受信の開始・終了のスイッチ（１４，１５）とを備えて構成することができる。
【０００７】
以上のように構成された本発明に係る埋設物管理システムにあって、地中に埋設したケーブル・管等の埋設物Ｐに関する埋設物データは、装置本体１内に記録保持されており、その装置本体１の携帯によって埋設物Ｐの埋設現場において、埋設物Ｐに対応して地上面等に配置した例えば標示物Ｄに内蔵させた記録媒体２０を介して、埋設場所においての埋設物データを参照させる。
装置本体１では、その記録部２、入力部３、表示部４、照合部５、制御部６によって埋設物データの入力、表示、書き換え等が行え、埋設現場とは離れた例えば施工管理機関である管理事務所内で行う埋設物データ等の各種管理作業に対応させ、また管理事務所内での入力作業の終了後では、その埋設物データを埋設現場における記録媒体２０に読取・書込器１０を介して入力し、書き換えさせ、埋設状況等の変更等にも十分に対処させる。
読取・書込器１０は、ケーブル１１によって装置本体１に接続され、記録媒体２０に保持されている埋設物データを記録媒体２０独自のＩＤナンバーの照合によって、埋設状況の変更に対応した必要に応じての埋設物データの書き換えを行わせる。
また読取・書込器１０は、アンテナ部１２で記録媒体２０との埋設物データ等の送受信、確認表示部１３による作業中の表示、スイッチ（１４，１５）操作による作動の選定等を行わせる。
【０００８】
【発明の実施の形態】
以下図面を参照して本発明の一実施の形態を説明すると、図において示される符号１は携帯可能にしたいわゆるパーソナルコンピュータから成る装置本体であり、所定のＣＰＵ、メモリー、ハードディスク、例えば液晶表示のディスプレー、キーボード等を備えたいわゆるモバイル型の例えばＢ６、Ｂ５、Ａ６、Ａ５判程度の大きさを備えたノート型タイプ、あるいはいわゆるＰＤＡタイプの比較的に小型のパーソナルコンピュータのものである。この装置本体１には、電力・通信ケーブル、水道・ガス・油管その他の各種の埋設物Ｐに対応して地上面に配置されるＩＣチップの如き記録媒体２０における記録内容の読み込み、書き込みを直接的に行うペン型リーダライタである読取・書込器１０が接続されている。
【０００９】
装置本体１自体は図５に示すように、埋設物Ｐに関する各種データ例えば電力・通信ケーブル、水道管、油管等の種別、埋設深さ（土被り高さ）、床付幅等の埋設データ、点検日、請負業者名、作業内容等の履歴データ等の各種の埋設物に関する情報である埋設物データを記録保存している記録部２、各種の埋設物データを入力する入力部３、埋設物データを表示する表示部４、読取・書込器１０に接続され、この読取・書込器１０によって読み取られた記録媒体２０のＩＤ等を照合し、記録部２における対応埋設物データと照合させる照合部５、これらを制御する制御部６を備えている。
【００１０】
また装置本体１自体では、その入力部３による入力操作によって、表示部４における表示画面を見ながら、この表示画面に表示されているデータ入力表等に各種埋設物データを入力記録できるようにしてあり、表示画面においては例えば埋設物Ｐに対応している記録媒体２０におけるＩＤナンバー、基準点位置からの距離を表示するキロポスト、道路等における上り・下り線の区別、管路名、ケーブル種別、用途、施工日、埋設状況における地上物からの水平距離、埋設幅員、土被りその他の寸法表示を入力するものとしてある。また埋設状況は、その断面図、平面図、概略図等も必要があればスキャナー等を介してあるいは作成入力でき、これらの図面は呼び出し操作で埋設物データ表示画面に重ねて表示されるようにしてある。
【００１１】
尚、入力部３において、パスワードの設定・要求・変更画面が表示され、正規パスワードの入力によってメインメニュー画面となり、例えば「データ読み込み」、「データ書き込み」、「データの変更」、「埋設物情報検索」、「管理データの登録・削除」、「ケーブルデータの登録・削除」、「用途データの登録・削除」、「図面の追加・削除」の作業メニューが表示され、夫々のクリックによって各作業画面に変更され、各作業を行うことができる。また各作業画面では、標示物Ｄに設けてある記録媒体２０によるデータ出力形式に対応させて図４（Ａ）に例示するようなマンホール蓋材においての、あるいは図４（Ｂ）に例示するような埋設標柱においての各種のデータ入力表が用意されていて、それらの空欄に直接にデータを入力できるようにしてあると共に、各作業内容のタグボタンが用意されていて必要があれば画面を変更して入力作業を行えるようにしてある。
【００１２】
読取・書込器１０は図３に示すように、インターフェイスを例えばＵＳＢとして装置本体１に接続するケーブル１１を後端部に、また記録媒体２０との埋設物データを送受信するアンテナ部１２を前端部に夫々備え、送受信時に点灯例えば緑色に点灯するＬＥＤの如き確認表示部１３、記録媒体２０との送受信を開始させる押しボタン式の読み取りスイッチ１４、この読み取りスイッチ１４を原位置に復帰させ、送受信を停止させるリセットスイッチ１５等をほぼ中央部に配置して成るものである。尚、ケーブル１１による有線方式を採用せずに、無線方式とすることも可能である。
【００１３】
記録媒体２０は地中に埋設したケーブル・管等の各種の埋設物Ｐにおけるほぼ直上の路面に直接に、あるいは路面に設置される例えばマンホール蓋の如き地下埋設ボックス用の蓋材、埋設標柱等の標示物Ｄ等に埋め込まれることで配置され、長尺な埋設物Ｐであれば、それに沿って適宜間隔で順次に配列されるもので、この記録媒体２０毎に夫々に付与されるＩＤナンバーによって相互に識別可能なものとしてある。記録媒体２０自体は例えば直径が１８ｍｍ、厚さが２．７ｍｍのコイン型もので、その電源は電磁誘導方式によって供給され、装置本体１における読取・書込器１０の接触で供給された電源によって作動し、ＩＤナンバーの照合の結果、一致した場合に読取・書込器１０との間で各種の埋設物データを送受信し、記録媒体２０における埋設物データを読取・書込器１０に発信し、また書き込み時には読取・書込器１０からの埋設物データを受信して記録保持されるようにしてある。
【００１４】
次にこれの使用の一例を説明するに、装置本体１に入力部３によって埋設物データを、埋設物Ｐの埋設場所に対応した直上の路面その他に設置される例えば標示物Ｄに内蔵した記録媒体２０のＩＤナンバーと共に入力し、記録部２に記録保持させておく。そして装置本体１に接続した読取・書込器１０によって当該埋設場所に対応している記録媒体２０に埋設物データを転送し、書き込むのである。あるいは埋設場所における現場作業で、装置本体１に入力した埋設物データを読取・書込器１０を介して転送して記録媒体２０に書き込むのである。
【００１５】
そして埋設場所における埋設物データが必要な場合には、読取・書込器１０を埋設物に関連して設置してある記録媒体２０に近接させ、ＩＤナンバーの確認後では記録媒体２０内の埋設データを読み出し、装置本体１の表示部４に表示させるのであり、それらを確認して各種の工事を実施すればよい。
【００１６】
また記録媒体２０のＩＤナンバーを装置本体１における照合部５によって照合し、それが一致した場合でなければ装置本体１内の埋設物データに対する読み取り、書き込みはできないものとしてあることで、埋設物データの第三者等による改竄はできない。尚、埋設物Ｐの管理機関である管理事務所内では、装置本体１に入力されていない記録媒体２０に関連する埋設物データを除き全ての埋設物データはその表示部４によって表示されるのであり、管理事務所内での一覧的表示によるデータの整理、予めの埋設物データに入力等を行うものである。
【００１７】
【発明の効果】
本発明は以上のように構成されているために、各種埋設物Ｐの埋設場所に対応すべく配置された記録媒体２０中に記録されている埋設データの表示、読み込み、書き換え作業は勿論のこと、夫々の埋設場所における埋設データの一元的な管理、確認等とが管理機関である管理事務所等の施設内でも、また現場である埋設場所でも簡単に行え、現場への移動を要せずに管理機関の施設内でも容易に確認できるのである。
【００１８】
すなわちこれは、本発明において、各種埋設物Ｐの埋設物データを入力、記録、表示する装置本体１と、埋設物Ｐに対応した埋設物データを記録している書き換え可能な記録媒体２０と、装置本体１、記録媒体２０夫々の埋設物データを照合させて装置本体１、記録媒体２０相互間で送受信させる読取・書込器１０とを備えて成るからであり、こうすることで埋設物Ｐに対応した埋設物データの管理事務所での整理、記録、保管の事務作業の効率化、埋設現場での埋設物データの参照による現場状況の確認、埋設現場での記録媒体２０に対する照合、書換による最新データの更新管理その他を容易に行えるのである。
【００１９】
また装置本体１は、記録部２、入力部３、表示部４、照合部５、制御部６を備えることで、この装置本体１自体で埋設物データの入力、表示、書き換え等が行えるのである。そのため、埋設現場とは離れた例えば施工管理機関である管理事務所内でも埋設物データ等の各種管理作業を行うことができ、作業能率を大きく向上でき、また管理事務所内での入力作業の終了後では、その埋設物データを埋設現場における記録媒体２０に読取・書込器１０を介して入力し、書き換えさせることができるから、埋設状況等の変更等にも十分に対処可能である。
【００２０】
記録媒体２０の埋設物データは、記録媒体２０に予め付与されているＩＤナンバーの照合によって装置本体１における記録部２の埋設データと関連付けられるから、ケーブル１１によって装置本体１に接続された読取・書込器１０によって、記録媒体２０に保持されている埋設物データと、装置本体１における埋設物データとは、記録媒体２０独自のＩＤナンバーの参照照合によって合致させることで、当該記録媒体２０に関連する埋設物Ｐの埋設状況を直ちに参照できる。また埋設後の工事の変動その他による埋設物データに変更が生じた場合には、記録媒体２０における保持記録内容の書換、変更に対応して記録媒体２０における埋設物データの書き換えることができる。
【００２１】
読取・書込器１０は、ケーブル１１の如き通信手段、アンテナ部１２、確認表示部１３、スイッチ（１４，１５）を備えていることで、装置本体１と記録媒体２０との間での埋設物データの送受信を行わせることができ、アンテナ部１２では記録媒体２０との埋設物データ等の送受信、確認表示部１３による作業中であることの表示、スイッチ（１４，１５）操作によってＯＮ−ＯＦＦ作動を選定できるのである。
【図面の簡単な説明】
【図１】本発明の一実施の形態を示す概略斜視図である。
【図２】同じく埋設状況を表す一部省略の概略断面図である。
【図３】同じく読取・書込器の正面図である。
【図４】同じく埋設状況表示時あるいは入力時における埋設状況の説明図の一例における装置本体の表示部における画像イメージ図である。
【図５】同じく携帯用の表示機器である装置本体における概略ブロック図である。
【符号の説明】
Ｄ…標示物                          Ｐ…埋設物
１…装置本体                        ２…記録部
３…入力部                          ４…表示部
５…照合部                          ６…制御部
１０…読取・書込器                  １１…ケーブル
１２…アンテナ部                    １３…確認表示部
１４…読み取りスイッチ              １５…リセットスイッチ
２０…記録媒体
【図１】
2005010550.tif 000003
【図２】
2005010550.tif 000004
【図３】
2005010550.tif 000005
【図４】
2005010550.tif 000006
【図５】
2005010550.tif 000007